(57)【特許請求の範囲】
【請求項１】
受信した無線周波数信号を減衰させる減衰器と、
前記減衰器を通過した前記無線周波数信号を中間周波数信号に変換する周波数変換手段と、
前記周波数変換手段において周波数変換される前に前記無線周波数信号の信号レベルが第１の所定レベル以上の場合に前記減衰器による減衰が必要な所定範囲であると判定する無線周波数信号レベル判定手段と、
前記中間周波数信号の信号レベルが、前記無線周波数信号を受信していることを示す第２の所定レベル以上であるかを判定する中間周波数信号レベル判定手段と、
前記中間周波数信号の信号レベルが前記第２の所定レベルよりも低い状態で前記無線周波数信号の信号レベルが前記所定範囲になるときの第１クロックにおいて、前記減衰器による前記無線周波数信号に対する減衰を仮決定する減衰仮決定手段と、
前記第１クロック以降の所定の第２クロックにおいて前記無線周波数信号の信号レベルが前記所定範囲であれば、前記無線周波数信号に対する減衰を実施する減衰作動状態に前記減衰器をホールドし、前記第２クロックにおいて前記無線周波数信号の信号レベルが前記所定範囲から外れると、非減衰作動状態に前記減衰器をホールドする第１ホールド手段と、
前記第１ホールド手段が前記減衰作動状態または前記非減衰作動状態に前記減衰器をホールドする前に前記中間周波数信号の信号レベルが前記第２の所定レベル以上になると前記減衰器を前記非減衰作動状態にホールドする第２ホールド手段と、
を備えることを特徴とする無線受信装置。
【請求項２】
前記第１ホールド手段が前記第２クロックにおいて前記減衰器を前記減衰作動状態または前記非減衰作動状態にホールドしてから所定時間経過するまでに前記中間周波数信号の信号レベルが前記第２の所定レベル以上にならないか、あるいは前記第１ホールド手段が前記第２クロックにおいて前記減衰器を前記減衰作動状態にホールドしてから前記所定時間経過するまでに前記中間周波数信号の信号レベルが前記第２の所定レベル以上になった後に前記第２の所定レベルよりも低下するか、あるいは前記第２ホールド手段が前記減衰器を前記非減衰作動状態にホールドしてから前記中間周波数信号の信号レベルが前記第２の所定レベルよりも低下すると、前記減衰器に対するホールド状態を解除するホールド解除手段をさらに備えることを特徴とする請求項１に記載の無線受信装置。
【請求項３】
前記第１クロックと前記第２クロックとは連続していることを特徴とする請求項１または２に記載の無線受信装置。
【請求項４】
前記第１クロックと前記第２クロックとは所定クロック数離れていることを特徴とする請求項１または２に記載の無線受信装置。
【請求項５】
前記無線周波数信号は、直交周波数分割多重方式による信号であることを特徴とする請求項１から４のいずれか一項に記載の無線受信装置。
【発明の詳細な説明】
【技術分野】
【０００１】
本発明は、無線周波数信号を受信し中間周波数に変換する無線受信装置に関する。
【背景技術】
【０００２】
従来、受信した無線周波数(Radio Frequency:以下、「ＲＦ」ともいう。）信号の信号レベルをＡＧＣ(Automatic Gain Control)回路等により自動的に調整する無線装置が知られている（例えば、特許文献１〜４参照。）。
このような無線受信装置では、受信した無線周波数信号を中間周波数(Intermediate Frequency:以下、「ＩＦ」ともいう。）信号に周波数変換し、信号処理部においてＩＦ信号に対して信号処理を実施することが一般的である。信号処理部でＩＦ信号を処理する場合、ＩＦ信号の信号レベルは所定の一定レベルであることが望ましい。
【０００３】
そこで、信号処理部は、ＲＦから周波数変換されたＩＦ信号の信号レベルに基づいてＩＦ信号の信号レベルを所定の一定レベルに調整する。例えば、信号処理部は、ＩＦ信号の平均値を算出し、算出した平均値に基づいてＩＦ信号の信号レベルを所定の一定レベルに調整する。
【特許文献１】特開平１０−２７１０５４号公報
【特許文献２】特開平１１−３１２９３８号公報
【特許文献３】特開２００１−６９０６６号公報
【特許文献４】特開２００２−１７６４１１号公報
【発明の開示】
【発明が解決しようとする課題】
【０００４】
しかしながら、周波数変換されたＩＦ信号の信号レベルが安定せず変化していると、ＩＦ信号に基づいてＩＦ信号の信号レベルを所定の一定レベルに適正に調整できないという問題がある。
【０００５】
これに対し、ＩＦ信号の信号レベルが安定してからＩＦ信号の信号レベルを調整すると、応答性が低下するという問題がある。
そこで、受信したＲＦ信号の信号レベルに基づいてＲＦ信号に対する減衰を実施し、ＲＦ信号を速やかに収束させることにより、ＩＦ信号の信号レベルを安定させることが考えられる。
【０００６】
しかしながら、減衰器によるＲＦ信号に対する減衰を実施するか、しないかを判定するＲＦ信号のレベルが閾値付近にあり、そのときにＲＦ信号のレベルが変動すると、減衰器による減衰の実施を適正に判定できないことがある。
【０００７】
例えば、閾値付近にノイズが発生したために信号レベルが閾値以上であると誤判定すると、減衰が必要でないにも関わらず減衰器による減衰が実施されるためにＩＦ信号の信号レベルが変動し、ＩＦ信号が速やかに収束しないことがある。
【０００８】
本発明は、上記問題を解決するためになされたものであり、中間周波数信号の信号レベルを速やかに、かつ適正に安定させる無線受信装置を提供することを目的とする。
【課題を解決するための手段】
【０００９】
請求項１から５に記載の発明によると、中間周波数の信号レベルが第２の所定レベルよりも低い状態で無線周波数信号の信号レベルが第１の所定レベル以上である所定範囲になり、そのときの第１クロック以降の所定の第２クロックにおいて、無線周波数信号の信号レベルが所定範囲であれば、無線周波数信号に対する減衰を実施する減衰作動状態に減衰器をホールドするので、無線周波数信号を速やかに収束させて出力できる。これにより、中間周波数信号の信号レベルを速やかに安定させることができる。尚、第１クロックおよび第２クロックは、それぞれ１個のクロックでもよいし、複数のクロックでもよい。
【００１０】
また、所定範囲の閾値付近でノイズ等により無線周波数信号に対する減衰が第１クロックにおいて仮決定されても、第１クロック以降の所定の第２クロックにおいて無線周波数信号の信号レベルが所定範囲から外れると、無線周波数信号に対する減衰を実施しない非減衰作動状態に減衰器をホールドする。これにより、無線周波数信号に発生するノイズ等の影響で、無線周波数信号に対する減衰を誤って実施することを防止できる。その結果、中間周波数信号を適正に安定させることができる。
【００１１】
請求項２に記載の発明によると、中間周波数信号の信号レベルが第２の所定レベル以上になる前に第１ホールド手段が第２クロックにおいて減衰器を減衰作動状態または非減衰作動状態にホールドしてから所定時間経過するまでに中間周波数信号の信号レベルが第２の所定レベル以上にならないと、減衰器に対するホールド状態を解除する。
【００１２】
減衰器の作動状態をホールドしてから所定時間経過するまでに中間周波数信号の信号レベルが第２の所定レベル以上にならないということは、適正な信号レベルの無線周波数信号を受信していないことを表している。そこで、このような場合には、請求項２に記載の発明のように、所定時間経過後に減衰器に対するホールド状態を解除することが望ましい。
【００１３】
一方、減衰器の作動状態を減衰作動状態にホールドしてから所定時間経過するまでに中間周波数信号の信号レベルが第２の所定レベル以上になった後に第２の所定レベルよりも低下するか、あるいは第２ホールド手段が減衰器を非減衰作動状態にホールドしてから中間周波数信号の信号レベルが第２の所定レベルよりも低下する場合は、適正な信号レベルの無線周波数信号を受信していることを表している。このよう場合には、請求項２に記載の発明のように、中間周波数信号の信号レベルが第２の所定レベルよりも低下してから減衰器に対するホールド状態を解除することが望ましい。
【００１４】
請求項３に記載の発明によると、第１クロックと第２クロックとは連続している。
これにより、連続した第１クロックおよび第２クロックにおいて、無線周波数信号の信号レベルが継続して所定範囲になるときに、減衰器を減衰作動状態にホールドする。一方、所定範囲の閾値付近でノイズ等の影響のために無線周波数信号が不連続に変動すると、無線周波数信号の信号レベルは継続して所定範囲にならないので、減衰器を非減衰作動状態にホールドできる。これにより、減衰器を誤って減衰作動状態にホールドすることを防止できる。
【００１５】
請求項４に記載の発明によると、第１クロックと第２クロックとは所定クロック数離れている。
これにより、例えば無線周波数信号が周期的に変動する場合に第１クロックと第２クロックとをその周期に相当するクロック数離すことにより、無線周波数信号の信号レベルが周期的に所定範囲になるときに減衰器を減衰作動状態にホールドできる。
【００１６】
一方、無線周波数信号の信号レベルが周期的に所定範囲にならないときには減衰器を非減衰作動状態にホールドできる。これにより、減衰器を誤って減衰作動状態にホールドすることを防止できる。
【００１７】
請求項５に記載の発明によると、無線周波数信号は直交周波数分割多重(Orthogonal Frequency Division Multiplexing：ＯＦＤＭ)方式による信号である。直交周波数分割多重方式では、多数のサブキャリアを重畳するので、受信する無線周波数信号の信号レベルが大きなピークをもち信号レベルが一定ではない。
【００１８】
そこで、このような特性を有する直交周波数分割多重方式の無線周波数信号を受信する受信装置において、請求項１に記載した減衰処理を実施することにより、中間周波数信号の信号レベルを速やかに、かつ適正に安定させることができる。
【００１９】
尚、本発明に備わる複数の手段の各機能は、構成自体で機能が特定されるハードウェア資源、プログラムにより機能が特定されるハードウェア資源、またはそれらの組み合わせにより実現される。また、これら複数の手段の各機能は、各々が物理的に互いに独立したハードウェア資源で実現されるものに限定されない。
【発明を実施するための最良の形態】
【００２０】
以下、本発明の実施の形態を図に基づいて説明する。
本発明の一実施形態による無線受信装置１０を図１に示す。
（無線受信装置１０）
本実施形態の無線受信装置１０は、受信アンテナ１２、増幅器１４、電力検出器２０、２８、コンパレータ２２、可変減衰器２４、３０、周波数変換器２６、制御回路４０等から構成されており、ＯＦＤＭ方式の無線周波数（ＲＦ）信号を受信する。
【００２１】
電力検出器２０およびコンパレータ２２、可変減衰器２４、周波数変換器２６、電力検出器２８および制御回路４０は、それぞれ特許請求の範囲に記載した「無線周波数信号レベル判定手段」、「減衰器」、「周波数変換手段」、「中間周波数信号レベル判定手段」に相当する。また、制御回路４０は、特許請求の範囲に記載した「減衰仮決定手段」と、「第１ホールド手段」と、「第２ホールド手段」と、「ホールド解除手段」とに相当する。
【００２２】
電力検出器２０は、受信アンテナ１２で受信され、ＬＮＡ(Low Noise Amplifier)等の
増幅器１４で増幅されたＲＦ信号の電力を検出し、ＲＦ−ＲＳＳＩ（ＲＦ−Received Signal Strength Indicator)信号として出力する。コンパレータ２２は、ＲＦ−ＲＳＳＩ信号と、ＲＦ信号に対して予め設定された第１の所定レベル（図２のＴＨ１）とを比較する。コンパレータ２２の出力であるＣＯＭＰ信号は、ＲＦ−ＲＳＳＩ信号の信号レベルが所定範囲であるＴＨ(Threshold)１以上の場合には’Ｈ’になり、ＲＦ−ＲＳＳＩ信号の信号レベルがＴＨ１より小さい場合には’Ｌ’になる。
【００２３】
本実施形態では、説明の簡略化のため、コンパレータ２２はＲＦ信号の信号レベルであるＲＦ−ＲＳＳＩ信号と一つのＴＨ１とを比較する構成として説明する。これに対し、コンパレータ２２を、複数の信号レベルとＲＦ−ＲＳＳＩ信号とを比較し、複数のＣＯＭＰ信号を出力する構成としてもよい。
【００２４】
可変減衰器２４は、受信アンテナ１２で受信され増幅器１４で増幅されたＲＦ信号を、制御回路４０から出力されるＲＦ−ＡＴＴ（ＲＦ−Attenuator)信号に基づいて減衰する。ＲＦ−ＡＴＴ信号が’Ｈ’の場合にＲＦ信号に対する減衰を実施し、ＲＦ−ＡＴＴ信号が’Ｌ’の場合にＲＦ信号に対する減衰を実施しない。
【００２５】
尚、コンパレータ２２が複数の信号レベルとＲＦ−ＲＳＳＩ信号とを比較し、複数のＣＯＭＰ信号を出力する構成であり、制御回路４０から複数のＣＯＭＰ信号に基づいて複数のＲＦ−ＡＴＴ信号が出力されるのであれば、可変減衰器２４は、ＲＦ信号の信号レベルに応じて多段階にＲＦ信号に対する減衰を実施する構成としてもよい。
【００２６】
周波数変換器２６は、可変減衰器２４を通過したＲＦ信号を搬送波周波数に応じた周波数の局部発振信号と混合することにより、ＲＦ信号をＩＦ信号に周波数変換する。
電力検出器２８は、周波数変換器２６の出力信号であるＩＦ信号の電力を検出し、ＩＦ−ＲＳＳＩ信号として出力する。
【００２７】
可変減衰器３０は、制御回路４０から出力されるＩＦ−ＡＴＴ信号に基づいてＩＦ信号の信号レベルを調整し、ＩＦ信号を所定の一定レベルにして制御回路４０に出力する。
制御回路４０は、ＣＰＵ、ＲＯＭ、ＲＡＭ、フラッシュメモリ等から構成されており、可変減衰器３０を通過して所定の一定レベルに調整されたＩＦ信号に対して、復調およびベースバンド信号の取り出し等の処理を実施する。
【００２８】
制御回路４０は、コンパレータ２２の出力信号であるＣＯＭＰ信号に基づき、可変減衰器２４によるＲＦ信号に対する減衰を制御するＲＦ−ＡＴＴ信号を出力する。
また、制御回路４０は、電力検出器２８の出力信号であるＩＦ−ＲＳＳＩ信号に基づき、可変減衰器３０によるＩＦ信号に対する減衰を制御するＩＦ−ＡＴＴ信号を出力する。
【００２９】
制御回路４０は、ＩＦ−ＲＳＳＩ信号が、受信アンテナ１２がＲＦ信号を受信したことを検出できる第２の所定レベル（図２のＴＨ２）以上になると、ＲＸ＿ＣＡＲＲＩＥＲ（図２参照）を’Ｈ’にする。図２に示すように、制御回路４０は、ＩＦ−ＲＳＳＩ信号が立ち上がってＲＸ＿ＣＡＲＲＩＥＲ信号が’Ｈ’になり、それから所定時間経過した後のＩＦ−ＲＳＳＩ信号の信号レベルを平均した平均値に基づき、可変減衰器３０による減衰率を調整するＩＦ−ＡＴＴ信号を生成する。ＩＦ−ＲＳＳＩ信号が立ち上がってから所定時間経過するまで待ち合わせるのは、ＩＦ−ＲＳＳＩ信号の立ち上がりの不安定な状態を避け、ＩＦ−ＲＳＳＩ信号の信号レベルが変動せず安定した状態でＩＦ−ＲＳＳＩ信号の平均値を算出するためである。
【００３０】
制御回路４０は、制御回路４０のＲＯＭまたはフラッシュメモリに記憶されている制御プログラムにより、以下の各手段として機能する。
（減衰仮決定手段）
図３の（Ａ）、（Ｂ）、（Ｃ）、（Ｄ）に示すように、制御回路４０は、ＲＸ＿ＣＡＲＲＩＥＲが’Ｌ’の状態でＣＯＭＰ信号が’Ｈ’になる第１クロック（ＣＬＫ１）において、可変減衰器２４によるＲＦ信号に対する減衰の実施を仮決定する。
【００３１】
（第１ホールド手段）
可変減衰器２４によるＲＦ信号に対する減衰の実施を仮決定した状態で、図３の（Ａ）、（Ｂ）に示すように、第１クロック（ＣＬＫ１）に連続する第２クロック（ＣＬＫ２）において、ＣＯＭＰ信号が’Ｌ’であれば、制御回路４０は、ＲＦ信号はＴＨ１付近の信号レベルであるか、または第１クロックでＣＯＭＰ信号が’Ｈ’になったのはノイズの影響であるか、またはＲＦ信号の信号レベルが瞬間的なピーク値であると判断し、ＲＦ−ＡＴＴ信号を一旦’Ｌ’に設定しホールドする。これにより、可変減衰器２４は、ＲＦ信号に対する減衰を実施しない非減衰作動状態にホールドされる。
【００３２】
一方、図３の（Ｃ）、（Ｄ）に示すように、第１クロック（ＣＬＫ１）に連続する第２クロック（ＣＬＫ２）において、ＣＯＭＰ信号が引き続き’Ｈ’であれば、制御回路４０は、ＲＦ信号の信号レベルはＴＨ１を超えて比較的大きいと判断し、ＲＦ−ＡＴＴ信号を一旦’Ｈ’に設定しホールドする。これにより、可変減衰器２４は、ＲＦ信号に対する減衰を実施する減衰作動状態にホールドされる。
【００３３】
（第２ホールド手段）
図３の（Ｅ）に示すように、制御回路４０は、可変減衰器２４の作動状態がホールドされる前にＲＸ＿ＣＡＲＲＩＥＲが’Ｈ’になると、ＲＦ信号の信号レベルはＴＨ１よりも比較的小さいと判断し、ＲＦ−ＡＴＴ信号を’Ｌ’に設定しホールドする。これにより、可変減衰器２４は、ＲＦ信号に対する減衰を実施しない非減衰作動状態にホールドされる。
【００３４】
（ホールド解除手段）
図３の（Ａ）に示すように、第１クロックにおいてＣＯＭＰ信号が’Ｈ’になり、第２クロックにおいてＣＯＭＰ信号が’Ｌ’になったことによりＲＦ−ＡＴＴ信号を一旦’Ｌ’にホールドしてから所定期間Ｔが経過するまでにＲＸ＿ＣＡＲＲＩＥＲが’Ｈ’になると、制御回路４０は、第１クロックにおいてＣＯＭＰ信号が’Ｈ’になり、第２クロックにおいてＣＯＭＰ信号が’Ｌ’になったのは、ＲＦ信号の信号レベルがＴＨ１付近であるか、またはノイズや瞬間的なピーク値の影響のためであると判断する。この場合、制御回路４０は、ＲＦ信号に対する減衰は不要であると判断し、ＲＦ−ＡＴＴ信号を’Ｌ’にホールドしている状態を継続する。これにより、可変減衰器２４による非減衰作動状態は継続される。
【００３５】
また、図３の（Ｃ）に示すように、第１クロックおよび第２クロックにおいてＣＯＭＰ信号が連続して’Ｈ’になり、ＲＦ−ＡＴＴ信号を一旦’Ｈ’にホールドしてから所定期間Ｔが経過するまでにＲＸ＿ＣＡＲＲＩＥＲが’Ｈ’になると、制御回路４０は、第１クロックおよび第２クロックにおいてＣＯＭＰ信号が’Ｈ’になったのは、ノイズや瞬間的なピーク値の影響ではなく、ＴＨ１を超えて比較的大きな信号レベルのＲＦ信号を受信した結果だと判断する。この場合、制御回路４０は、ＲＦ信号に対する減衰は必要であると判断し、ＲＦ−ＡＴＴ信号を’Ｈ’にホールドした状態を継続する。これにより、可変減衰器２４による減衰作動状態は継続される。
【００３６】
そして、図３の（Ａ）、（Ｃ）、（Ｅ）に示すように、ＲＦ−ＡＴＴ信号を’Ｌ’または’Ｈ’にホールドした状態でＲＸ＿ＣＡＲＲＩＥＲが’Ｈ’から’Ｌ’になると、制御回路４０は、ＲＦ信号の受信が終了したと判断し、ＲＦ−ＡＴＴ信号のホールド状態を解除する。これにより、ホールドされていた可変減衰器２４の作動状態は解除される。
【００３７】
図３の（Ａ）、（Ｃ）、（Ｅ）においては、制御回路４０は、適正な信号レベルのＲＦ信号を受信している判断するので、ＲＸ＿ＣＡＲＲＩＥＲが’Ｈ’から’Ｌ’になってからＲＦ−ＡＴＴ信号のホールド状態を解除する。
【００３８】
一方、図３の（Ｂ）、（Ｄ）に示すように、ＲＦ−ＡＴＴ信号を’Ｌ’または’Ｈ’にホールドしてから所定期間Ｔが経過してもＲＸ＿ＣＡＲＲＩＥＲが’Ｌ’のままで’Ｈ’にならないと、制御回路４０は、第１クロックにおいてＣＯＭＰ信号が’Ｈ’になり、第２クロックにおいてＣＯＭＰ信号が’Ｌ’または’Ｈ’になったのは、ノイズや瞬間的なピーク値の影響のためであると判断する。この場合、制御回路４０は、適正な信号レベルのＲＦ信号を受信していないのでＲＦ信号に対する減衰は不要であると判断する。この場合、制御回路４０は、所定期間Ｔが経過してからＲＦ−ＡＴＴ信号を’Ｌ’または’Ｈ’にホールドしていた状態を解除する。これにより、可変減衰器２４による非減衰作動状態または減衰作動状態は解除される。
【００３９】
（ＲＦ信号に対する減衰制御）
次に、ＲＦ信号に対する減衰制御について、図４の制御ルーチンに基づいて説明する。図４のフローチャートにおいて、「Ｓ」はステップを表している。
【００４０】
Ｓ３００において制御回路４０は、ＲＦ−ＡＴＴ信号の信号レベルを初期状態の’Ｌ’に設定する。そして、Ｓ３０２において制御回路４０は、ＲＸ＿ＣＡＲＲＩＥＲが’Ｈ’であるかを判定する。
【００４１】
ＲＸ＿ＣＡＲＲＩＥＲが’Ｈ’ではなく’Ｌ’の場合（Ｓ３０２：Ｎｏ）、Ｓ３０４において制御回路４０は、ＣＯＭＰ信号の値に基づき、ＲＦ−ＡＴＴ信号のホールド状態を仮判定する。
【００４２】
Ｓ３０４においてＣＯＭＰ信号が’Ｌ’であれば、制御回路４０は、ＲＦ信号を受信していないと判断しＳ３００に処理を移行する。
Ｓ３０４においてＣＯＭＰ信号が’Ｈ’であれば、制御回路４０は、ＴＨ１以上の信号レベルのＲＦ信号を受信している可能性があると判断する。そして、Ｓ３０６において制御回路４０は、Ｓ３０４においてＣＯＭＰ信号が’Ｈ’になる第１クロックに連続した第２クロックにおけるＣＯＭＰ信号の値に基づき、ＲＦ−ＡＴＴ信号のホールド状態を決定する。
【００４３】
Ｓ３０６においてＣＯＭＰ信号が’Ｈ’であれば、制御回路４０は、ＲＦ−ＡＴＴ信号を’Ｈ’に一旦ホールドする。これにより、可変減衰器２４は減衰作動状態に一旦ホールドされる。
【００４４】
Ｓ３０６においてＣＯＭＰ信号が’Ｌ’であれば、制御回路４０は、ＲＦ信号はＴＨ１付近の信号レベルであるか、または第１クロックでＣＯＭＰ信号が’Ｈ’になったのはノイズの影響であるか、またはＲＦ信号の信号レベルが瞬間的なピーク値であると判断し、Ｓ３１０において、ＲＦ−ＡＴＴ信号を’Ｌ’に一旦ホールドする。
【００４５】
Ｓ３１２、Ｓ３１４において制御回路４０は、ＲＦ−ＡＴＴ信号を’Ｈ’または’Ｌ’にホールドした状態で、タイマに設定した所定期間Ｔ（図３参照）が経過するまでにＲＸ＿ＣＡＲＲＩＥＲが’Ｈ’になるかを判定する。
【００４６】
Ｓ３１２、Ｓ３１４においてＲＦ−ＡＴＴ信号が’Ｈ’または’Ｌ’にホールドされた状態で、所定期間Ｔが経過するまでにＲＸ＿ＣＡＲＲＩＥＲが’Ｈ’にならないと、制御回路４０は、Ｓ３０４においてＣＯＭＰ信号が’Ｈ’になったのは、ノイズや瞬間的なピーク値の影響のためであると判断する。そして、制御回路４０は、Ｓ３１４において所定期間Ｔが経過すると、Ｓ３００に処理を移行し、ＲＦ−ＡＴＴ信号のホールド状態を解除し、ＲＦ−ＡＴＴ信号を’Ｌ’に設定する。
【００４７】
Ｓ３１２、Ｓ３１４において、ＲＦ−ＡＴＴ信号が’Ｈ’または’Ｌ’にホールドされた状態で、所定期間Ｔが経過するまでにＲＸ＿ＣＡＲＲＩＥＲが’Ｈ’になると（Ｓ３１２：Ｙｅｓ）、Ｓ３１８において制御回路４０は、ＲＸ＿ＣＡＲＲＩＥＲが’Ｈ’から’Ｌ’になるかを判定する。
【００４８】
Ｓ３１８においてＲＸ＿ＣＡＲＲＩＥＲが’Ｌ’になると（Ｓ３１８：Ｎｏ）、制御回路４０はＳ３００に処理を移行し、ＲＦ−ＡＴＴ信号のホールド状態を解除し、ＲＦ−ＡＴＴ信号を’Ｌ’に設定する。
【００４９】
ＲＦ−ＡＴＴ信号が’Ｈ’または’Ｌ’にＨールドされる前のＳ３０２においてＲＸ＿ＣＡＲＲＩＥＲが’Ｈ’になると、制御回路４０は、受信しているＲＦ信号の信号レベルはＴＨ１よりも比較的小さいと判断し、Ｓ３１６においてＲＦ−ＡＴＴ信号を’Ｌ’に設定しホールドする。これにより、可変減衰器２４は、ＲＦ信号に対する減衰を実施しない非減衰作動状態にホールドされる。
【００５０】
Ｓ３０２においてＲＸ＿ＣＡＲＲＩＥＲが’Ｈ’である結果、８Ｓ３１６においてＲＦ−ＡＴＴ信号が’Ｌ’にホールドされた状態で、Ｓ３１８においてＲＸ＿ＣＡＲＲＩＥＲが’Ｈ’から’Ｌ’になると（Ｓ３１８：Ｎｏ）、制御回路４０はＳ３００に処理を移行し、ＲＦ−ＡＴＴ信号のホールド状態を解除し、ＲＦ−ＡＴＴ信号を’Ｌ’に設定する。
【００５１】
以上説明した本実施形態では、連続する第１クロックおよび第２クロックにおいてＲＦ信号の信号レベルがＴＨ１以上の所定範囲であれば、ＲＦ信号に対する減衰を実施する減衰作動状態に可変減衰器２４をホールドするので、ＲＦ信号を速やかに収束させて周波数変換器２６に出力し、ＩＦ信号を得ることができる。これにより、制御回路４０は、速やかに安定したＩＦ信号の平均を算出し、算出した平均値に基づいて可変減衰器３０によるＩＦ信号に対する減衰率を調整できる。その結果、ＩＦ信号の信号レベルを速やかに一定レベルに調整できる。
【００５２】
また、ＴＨ１付近でノイズ等によりＲＦ信号に対する減衰が第１クロックにおいて仮決定されても、第１クロック以降の所定の第２クロックにおいてＲＦ信号の信号レベルがＴＨ１よりも低下すると、ＲＦ信号に対する減衰を実施しない非減衰作動状態に可変減衰器２４をホールドする。これにより、ＲＦ信号に発生するノイズ等の影響で、ＲＦ信号に対する減衰を誤って実施することを防止できる。その結果、ＩＦ信号の信号レベルを適正に安定させることができる。
【００５３】
また、ＯＦＤＭ方式のようにＲＦ信号の信号レベルが大きなピークをもち、信号レベルが一定ではないＲＦ信号を受信する場合、本実施形態のＲＦ信号に対する減衰処理を実施することにより、ＩＦ信号の信号レベルを速やかに、かつ適正に一定レベルに調整できる。
【００５４】
［他の実施形態］
上記実施形態では、第１クロックと第２クロックとを連続したクロックとした。これに対し、第１クロックと第２クロックとを所定クロック数離れたクロックとしてもよい。
【００５５】
これにより、例えばＲＦ信号が周期的に変動する場合に第１クロックと第２クロックとをその周期に相当するクロック数離すことにより、ＲＦ信号の信号レベルが周期的に所定範囲になるときに減衰器を減衰作動状態にホールドできる。
【００５６】
一方、ＲＦ信号の信号レベルが周期的に所定範囲にならないときには減衰器を非減衰作動状態にホールドできる。これにより、減衰器を誤って減衰作動状態にホールドすることを防止できる。
【００５７】
また、上記実施形態では、ＯＦＤＭ方式のＲＦ信号の無線受信装置に本発明を適用した。これに対し、受信したＲＦ信号をＩＦ信号に変換する無線受信装置であれば、ＯＦＤＭ方式に限らず、どのような方式のＲＦ信号を受信しても、ＩＦ信号の信号レベルを、速やかに、かつ適正に安定させることができる。
【００５８】
このように、本発明は、上記実施形態に限定されるものではなく、その要旨を逸脱しない範囲で種々の実施形態に適用可能である。
【図面の簡単な説明】
【００５９】
【図１】本実施形態による無線受信装置を示すブロック図。
【図２】ＲＦ信号およびＩＦ信号の電力検出を示す特性図。
【図３】ＲＦ信号に対する減衰処理を示すタームチャート。
【図４】ＲＦ信号に対する減衰処理ルーチンを示すフローチャート。
【符号の説明】
【００６０】
１０：無線受信装置、２０：電力検出器（無線周波数信号レベル判定手段）、２２：コンパレータ（無線周波数信号レベル判定手段）、２４、３０：可変減衰器、２６：周波数変換器（周波数変換手段）、２８：電力検出器（中間周波数信号レベル判定手段）、４０：制御回路（中間周波数信号レベル判定手段、減衰仮決定手段、第１ホールド手段、第２ホールド手段、ホールド解除手段）
【図１】
0005076923.tif 000002
【図２】
0005076923.tif 000003
【図３】
0005076923.tif 000004
【図４】
0005076923.tif 000005